(57)【要約】【課題】フィルターへ湯を注いだ際にホルダーハーフが近づくのを阻止する補強部を形成するためには、ホルダーの上下方向に延びた折り曲げ部を押し倒すようにしてフィルター側、即ち一対のホルダーハーフ１９の対向領域側へ折らなくてはならず、折り曲げる際の抵抗が大きく、補強部を形成する作業が煩わしい。【解決手段】側辺折り曲げ部１７は丸穴２９が形成された部分において分断されており、この側辺折り曲げ部１７の分断された部分を折り曲げるので、側辺折り曲げ部１７を押し倒すようにして折り曲げる必要がなく、折り曲げる際の抵抗が殆どない。従って、ホルダー１３の上端部の補強用折り曲げ部３１に囲まれた領域を極僅かな力でフィルター３側へ折り曲げることができ、補強部３９を容易に形成することができる。【選択図】      図１
2004242847.tif 000002
【特許請求の範囲】
【請求項１】
内部に被抽出物が充填された袋状のフィルターと、前記フィルターに固着されたホルダーとを有し、前記ホルダーは前記フィルターの一側辺に沿って折られた側辺折り曲げ部と、前記側辺折り曲げ部を連結部としてフィルターの両側面に沿って延びる一対のホルダーハーフと、前記一対のホルダーハーフにそれぞれ備えられた係止部とを具備しており、前記フィルターの上端に開口を形成して前記係止部をカップの縁に係止させて支持されるドリップバッグにおいて、前記側辺折り曲げ部を途中で分断する分断部と、前記分断部に連なり一対のホルダーハーフの上端部に向かってそれぞれ延びる一対の補強用折り曲げ部とを備えて、前記補強用折り曲げ部を一対のホルダーハーフが互いに対向する領域側へ折り曲げて補強部を形成することを特徴とするドリップバッグ。
【請求項２】
請求項１において、分断部は穴または切り込みであることを特徴とするドリップバッグ。
【請求項３】
請求項１また２に記載したドリップバッグにおいて、一対の補強用折り曲げ部は側辺折り曲げ部の延長線上で且つ分断部内に仮想交点をもち一対のホルダーハーフの上端部に向かって斜めに延びるものであることを特徴とするドリップバッグ。
【請求項４】
請求項１また２に記載したドリップバッグにおいて、一対の補強用折り曲げ部は一対のホルダーハーフの上端部に向かって真っ直ぐに延びるものであることを特徴とするドリップバッグ。
【請求項５】
請求項１から４のいずれかに記載したドリップバッグにおいて、ホルダーの上端部に補強用折り曲げ部に連なる切り欠きを形成したことを特徴とするドリップバッグ。
【請求項６】
請求項１から５のいずれかに記載したドリップバッグにおいて、補強用折り曲げ部にミシン目を付けたことを特徴とするドリップバッグ。
【請求項７】
請求項１から６のいずれかに記載したドリップバッグにおいて、一対の補強用折り曲げ部は側辺折り曲げ部を中心とする線対称となるように形成されていることを特徴するドリップバッグ。
【発明の詳細な説明】
【０００１】
【発明の属する技術分野】
本発明はレギュラーコーヒー等の抽出に用いるドリップバッグに係り、特に袋状のフィルターと、このフィルターをカップに支持するホルダーとを備えたドリップバッグに関するものである。
【０００２】
【従来の技術】
ドリップバッグには、矩形袋状の一側辺に沿って、厚紙製のホルダーを折り曲げて側辺折り曲げ部を形成し、この側辺折り曲げ部を連結部とする一対のホルダーハーフをフィルターの両側面に固着させたものがある。
このドリップバッグは、左右のホルダーハーフの一部を切り起こして形成する一対の係止部の他に、ホルダーの側辺折り曲げ部を含む領域にもう１つ係止部を設けて、合計３つ係止部をカップの縁に係止させて、フィルターをカップの開口に対応する位置に支持する。そして、フィルターの上端部に形成した開口から湯を注ぎ入れて、レギュラーコーヒー等の抽出を行う。
【０００３】
ところが、フィルターへ注ぎ入れた湯の重みでフィルターを下方へ引く力が生じるので、この力によってホルダーハーフが互いに近づく方向へ引かれフィルターの開口が狭められるおそれがある。
また、ホルダーハーフが互いに近づく方向へ移動し、ホルダーハーフどうしの間隔が狭まってドリップバッグの支持が不安定になる。このため湯の重みによってドリップバッグの重心が傾き、これによりフィルターが傾いてしまうおそれがある。
そこで、ホルダーの側辺折り曲げ部の上端部を含む領域をフィルター側へ折り曲げて補強部を形成し、この補強部により湯をフィルターに注ぎ入れてもホルダーハーフが互いに近づく方向へ移動しないようにしたドリップバッグが考えられている。
【０００４】
【発明が解決しようとする課題】
しかしながら、補強部を形成するためには、ホルダーの上下方向に延びた側辺折り曲げ部を押し倒すようにしてフィルター側、即ち一対のホルダーハーフが互いに対向する領域側へ折らなくてはならない。従って、折り曲げる際の抵抗が大きく、補強部を形成する作業が煩わしいものとなっている。
さらに、ホルダーの上端部を折り曲げる補強部を形成するための作業が行いにくいため、補強部を正確な左右対称形状に形成することも容易ではない。補強部が正確な左右対称形状に形成できない場合には、ホルダーハーフが互いに近づくのを阻止するという補強部としての機能を確実に果たすことができなくなってしまうことになる。
【０００５】
本発明は上記した問題点に鑑みて為されたものであり、フィルターへ湯を注いだ際にホルダーハーフが互いに近づくのを阻止する補強部を容易に形成でき、しかも形成された補強部が正確な左右対称形状となるドリップバッグを提供することを目的とする。
【０００６】
【課題を解決するための手段】
この目的を達成するために、請求項１の発明は、内部に被抽出物が充填された袋状のフィルターと、前記フィルターに固着されたホルダーとを有し、前記ホルダーは前記フィルターの一側辺に沿って折られた側辺折り曲げ部と、前記側辺折り曲げ部を連結部としてフィルターの両側面に沿って延びる一対のホルダーハーフと、前記一対のホルダーハーフにそれぞれ備えられた係止部とを具備しており、前記フィルターの上端に開口を形成して前記係止部をカップの縁に係止させて支持されるドリップバッグにおいて、前記側辺折り曲げ部を途中で分断する分断部と、前記分断部に連なり一対のホルダーハーフの上端部に向かってそれぞれ延びる一対の補強用折り曲げ部とを備えて、前記補強用折り曲げ部を一対のホルダーハーフが互いに対向する領域側へ折り曲げて補強部を形成することを特徴とするドリップバッグである。
【０００７】
請求項２の発明は、請求項１において、分断部は穴または切り込みであることを特徴とするドリップバッグである。
【０００８】
請求項３の発明は、請求項１また２に記載したドリップバッグにおいて、一対の補強用折り曲げ部は側辺折り曲げ部の延長線上で且つ分断部内に仮想交点をもち一対のホルダーハーフの上端部に向かって斜めに延びるものであることを特徴とするドリップバッグである。
【０００９】
請求項４の発明は、請求項１また２に記載したドリップバッグにおいて、一対の補強用折り曲げ部は一対のホルダーハーフの上端部に向かって真っ直ぐに延びるものであることを特徴とするドリップバッグである。
【００１０】
請求項５の発明は、請求項１から４のいずれかに記載したドリップバッグにおいて、ホルダーの上端部に補強用折り曲げ部に連なる切り欠きを形成したことを特徴とするドリップバッグである。
【００１１】
請求項６の発明は、請求項１から５のいずれかに記載したドリップバッグにおいて、補強用折り曲げ部にミシン目を付けたことを特徴とするドリップバッグである。
【００１２】
請求項７の発明は、請求項１から６のいずれかに記載したドリップバッグにおいて、一対の補強用折り曲げ部は側辺折り曲げ部を中心とする線対称となるように形成されていることを特徴とするドリップバッグである。
【００１３】
【発明の実施の形態】
図１から図６の図面によって本発明の第１の実施の形態に係るドリップバッグ１を説明する。
符号３は矩形袋状のフィルターを示し、ヒートシール可能な例えばポリエチレン繊維製不織布によって構成されている。フィルター３は長方形のシートを二つ折りにして、折曲線によって形成された右辺５以外の他の三辺がヒートシールされている。即ち、左側辺７、上辺９及び下辺１１がヒートシールされて形成されている。フィルター３の上端部には、上辺９に沿うミシン目１２が設けられている。また、フィルター３には、被抽出物としてのレギュラーコーヒーＨが充填されている。
【００１４】
フィルター３には、厚紙製のホルダー１３が接着部１５を介して固着されている。ホルダー１３側辺折り曲げ部１７を中心に線対称となる一対のホルダーハーフ１９によって構成されている。ホルダー１３は、側辺折り曲げ部１７がフィルター３の右辺５に沿うようにフィルター３に固定され、側辺折り曲げ部１７は右辺５に沿って折られた状態となっている。また、ホルダーハーフ１９はフィルター３の両側面に沿って延びている。
【００１５】
一対のホルダーハーフ１９には、係止部２１がそれぞれ設けられている。この係止部２１はホルダーハーフ１９に切り込み２３を入れることによって形成されている。また、ホルダーハーフ１９の下端部で側辺折り曲げ部１７の左右両側には切り欠き２５が形成され、一対の切り欠き２５に挟まれた部分に係止部２７が設けられる。
【００１６】
ホルダー１３の上端部には分断部としての丸穴２９が形成され、この丸穴２９は側辺折り曲げ部１７の一部が含まれる領域を打ち抜くことによって形成されている。従って、この丸穴２９によって側辺折り曲げ部１７は途中で分断されている。
一対のホルダーハーフ１９には補強用折り曲げ部３１がそれぞれ形成されており、一対の補強用折り曲げ部３１は側辺折り曲げ部１７を中心とする線対称となるように形成されている。一対の補強用折り曲げ部３１はホルダーハーフ１９の上端部に向かって斜めに延びており、また一対の補強用折り曲げ部３１の下端は丸穴２９に連なっている。さらに一対の補強用折り曲げ部３１の仮想交点Ｐは側辺折り曲げ部１７の延長線上にあり、且つ丸穴２９内に位置している。また側辺折り曲げ部１７及び一対の補強用折り曲げ部３１にはミシン目３３が形成されている。
ホルダーハーフ１９の上端部には切り欠き３５が形成されており、一対の切り欠き３５は補強用折り曲げ部３１に連なっている。
【００１７】
次に、このドリップバッグ１の使用方法について説明する。
図３に示すように、フィルター３の上端部をミシン目１２に沿って破り取り、フィルター３の上端に開口を形成する。そして、ホルダー１３の係止部２１を引き起こす。
さらに補強用折り曲げ部３１をフィルター３側、即ち一対のホルダーハーフ１９の対向領域側へ折り曲げて補強部３９を形成する。補強部３９は一対のホルダーハーフ１９のフィルター３に沿う部分が互いに近づくのを規制し一定の距離を保つ役目をしている。
【００１８】
上記したように丸穴２９が側辺折り曲げ部１７を分断しており、さらに一対の補強用折り曲げ部３１の仮想交点Ｐは側辺折り曲げ部１７の延長線上にあり、且つ丸穴２９内に位置しているので、補強用折り曲げ部３１をフィルター３側に折り曲げる際に、側辺折り曲げ部１７を押し倒すようにして曲げる必要がない。即ち、側辺折り曲げ部１７は丸穴２９が形成された部分において欠落しており、この側辺折り曲げ部１７の欠落部分に従来のホルダーのフィルター側へ折り曲げる部分が位置しているため、側辺折り曲げ部１７を押し倒すようにして折り曲げる必要がなく、折り曲げる際の抵抗が殆どない。従って、ホルダー１３の上端部の補強用折り曲げ部３１に囲まれた領域を極僅かな力で、フィルター３側、即ち一対のホルダーハーフ１９が互いに対向する領域側へ折り曲げることができ、補強部３９を容易に形成することができる。さらに、側辺折り曲げ部１７及び補強用折り曲げ部３１上のミシン目３３、切り欠き３５は、ホルダー１３の上端部の補強用折り曲げ部３１に囲まれた領域を折り曲げる際の抵抗を軽減する機能を発揮する。
【００１９】
しかも、補強用折り曲げ部３１に囲まれた領域を極僅かな力で、ホルダーハーフ１９の対向領域側へ折り曲げることができるので、側辺折り曲げ部１７を中心とする線対称となるように形成された補強用折り曲げ部３１を正確に折り曲げることが可能となる。従って、補強部３９を側辺折り曲げ部１７を中心とした正確な線対称形状に形成することができる。よって、一対のホルダーハーフ１９のフィルター３に沿う部分が互いに近づくのを規制し一定の距離を保つという役目を確実に果たすことが可能となる。
【００２０】
次いで、係止部２１、２７をカップＣの縁に係止して、フィルター３の下辺１１が下側となってドリップバッグ１がカップＣに支持され、フィルター３の下辺１１はカップＣの開口Ｃａへ入り込んだ状態となる。
そして、フィルター３の開口３７から湯を注ぎ込み、レギュラーコーヒーＨの抽出を行い、抽出成分を含む湯がフィルター３から滲出してカップＣに貯留される。
【００２１】
上記したように、補強部３９を側辺折り曲げ部１７を中心とした正確な線対称形状に形成されているので、湯をフィルター３の開口３７へ注ぎ込んでも一対のホルダーハーフ１９のフィルター３に沿う部分が互いに近づくのを確実に規制し、開口３７が不用意に閉じてしまうのを防止できる。
【００２２】
次に、ドリップバッグ１の製造方法について説明する。
このドリップバッグ１は、連続的にドリップバッグを形成しながら被充填物を充填できる所謂製袋充填が可能である。
図６に示すように、フィルター３を構成するシート材料３ａに一定間隔をあけてホルダー１３を固着しておく。
【００２３】
そして、製袋充填機によりシート材料３ａを二つ折りにして右辺５を形成し、さらに右辺５と対向する側の端部を縦方向にシールヘッドＳによって溶着して左辺７を形成する。さらに装置によりシート材料３ａの横方向をシールアンドカットして下辺１１を形成し、次に右辺５、左辺７及び下辺１１によって囲まれた空間へノズルＮからレギュラーコーヒーＨが充填される。次いで、上記したようにシート材料３ａの横方向をシールアンドカット、即ち上辺９とミシン目１２を形成すると共にシート材料３ａからドリップバッグ１を切り離し、さらに、次の（上側の）ドリップバッグ１の下辺１１を形成する。
【００２４】
図７から図１０の図面によって本発明の第２の実施の形態に係るドリップバッグ５１を説明する。
ドリップバッグ５１は第１の実施の形態に係るドリップバッグ１と同様の構成部分を有するので、同様の構成部分については第１の実施の形態で用いた符号を付して、その説明を省略する。
符号５３は分断部としての切り込みを示し、この切り込み５３は側辺折り曲げ部１７を途中部分で分断している。この切り込み５３は一対のホルダーハーフ１９の先端部方向へ延び、且つホルダーハーフ１９の上端部側へ上り勾配となるように傾斜している。
【００２５】
符号５５は一対の補強用折り曲げ部を示し、一対の補強用折り曲げ部５５は側辺折り曲げ部１７を中心とする線対称となるように形成されている。一対の補強用折り曲げ部５５の一端は切り込み５３の両端部にそれぞれ連なっている。また一対の補強用折り曲げ部５５はホルダーハーフ１９の上端部に向かって直交する方向に真っ直ぐ延びており、補強用折り曲げ部５５の他端は一対のホルダーハーフ１９の上端部に到達している。
【００２６】
次に、このドリップバッグ５１の使用方法について説明する。
図９に示すように、フィルター３の上端部をミシン目１２に沿って破り取り、フィルター３の上端に開口を形成する。そして、ホルダー１３の係止部２１を引き起こす。
さらに補強用折り曲げ部５５をフィルター３側、即ち一対のホルダーハーフ１９が互いに対向する領域側へ折り曲げて補強部５７を形成する。補強部５７は切り込み５３補強用折り曲げ部５５とによって囲まれた部分によって構成される。この補強部５７は一対のホルダーハーフ１９のフィルター３に沿う部分が互いに近づくのを規制し一定の距離を保つ役目をしている。
【００２７】
上記したように、切り込み５３が側辺折り曲げ部１７を分断しているので、側辺折り曲げ部１７を押し倒すようにして折り曲げる必要がなく、折り曲げる際の抵抗が殆どない。従って、切り込み５３と補強用折り曲げ部５５とによって囲まれた部分をフィルター３側へ軽く押し込むだけで、補強部５７を容易に形成することができる。さらに、側辺折り曲げ部１７及び補強用折り曲げ部５５上のミシン目３３は、切り込み５３と補強用折り曲げ部５５とによって囲まれた部分をフィルター３側へ押し込む際の抵抗を軽減する。
【００２８】
また、補強部５７を側辺折り曲げ部１７を中心とした正確な対称形状に形成することができるので、一対のホルダーハーフ１９のフィルター３に沿う部分が互いに近づくのを規制し一定の距離を保つという役目を確実に果たすことが可能となる。
【００２９】
次いで、第１の実施の形態で説明した内容と同様にして、図１０に示すように係止部２１、２７をカップＣの縁に係止して、ドリップバッグ５１がカップＣに支持され、フィルター３の下辺１１はカップＣの開口Ｃａへ入り込んだ状態となる。
そして、フィルター３の開口３７から湯を注ぎ込み、レギュラーコーヒーＨの抽出を行い、抽出成分を含む湯がフィルター３から滲出してカップＣに貯留される。
【００３０】
上記したように、補強部５７は側辺折り曲げ部１７を中心とした正確な線対称形状に形成されているので、湯をフィルター３の開口３７へ注ぎ込んでも一対のホルダーハーフ１９のフィルター３に沿う部分が互いに近づくのを確実に規制し、開口３７が不用意に閉じてしまうのを防止できる。
【００３１】
このドリップバッグ５１は、第１の実施の形態に係るドリップバッグ１と同様にして所謂製袋充填による製造が可能である。
【００３２】
以上、本発明の実施の形態について詳述してきたが、具体的構成は、この第１及び第２の実施の形態に限られるものではなく、本発明の要旨を逸脱しない範囲における設計の変更などがあっても発明に含まれる。
例えば、被抽出物はレギュラーコーヒーに限らず、紅茶、緑茶等であってもよい。
上記実施の形態では、側面長方形の袋状のフィルターを示したが、本発明はこれに限定されず、側面が台形、三角形状等の袋状フィルターのドリップバッグに適用することができる。
また、ミシン目３３を形成しない構成とすることも可能である。
【００３３】
【発明の効果】
以上のように、本発明のドリップバッグによれば、フィルターへ湯を注いだ際にホルダーハーフが互いに近づくのを阻止する補強部を容易に形成することができる。
また形成された補強部が正確な対称形状となるので、ホルダーハーフが互いに近づくのを阻止するという補強部として機能を確実に果たすことができる。
【図面の簡単な説明】
【図１】本発明の第１の実施の形態に係るドリップバッグの斜視図である。
【図２】本発明の第１の実施の形態に係るドリップバッグに設けられるホルダーの展開図である。
【図３】本発明の第１の実施の形態に係るドリップバッグの使用方法を説明するための斜視図である。
【図４】本発明の第１の実施の形態に係るドリップバッグの使用方法を説明するための斜視図である。
【図５】本発明の第１の実施の形態に係るドリップバッグの製造方法を説明するための斜視図である。
【図６】本発明の第１の実施の形態に係るドリップバッグの製造方法を説明するための斜視図である。
【図７】本発明の第２の実施の形態に係るドリップバッグの斜視図である。
【図８】本発明の第２の実施の形態に係るドリップバッグに設けられるホルダーの展開図である。
【図９】本発明の第２の実施の形態に係るドリップバッグの使用方法を説明するための斜視図である。
【図１０】本発明の第２の実施の形態に係るドリップバッグの使用方法を説明するための斜視図である。
【符号の説明】
１  ドリップバッグ              ３  フィルター
５  右辺                        ７  左辺
９  上辺                      １１  下辺
１２  ミシン目                  １３  ホルダー
１５  接着部                    １７  側辺折り曲げ部
１９  ホルダーハーフ            ２１  係止部
２３  切り込み                  ２５  切り欠き
２７  係止部                    ２９  丸穴
３１  補強用折り曲げ部          ３３  ミシン目
３５  切り欠き                  ３７  開口
３９  補強部                    ３ａ  シート材料
Ｃ  カップ                    Ｃａ  カップの開口
Ｈ  レギュラーコーヒー          Ｓ  シールヘッド
Ｎ  ノズル
５１  ドリップバッグ            ５３  切り込み
５５  補強用折り曲げ部          ５７  補強部
【図１】
2004242847.tif 000003
【図２】
2004242847.tif 000004
【図３】
2004242847.tif 000005
【図４】
2004242847.tif 000006
【図５】
2004242847.tif 000007
【図６】
2004242847.tif 000008
【図７】
2004242847.tif 000009
【図８】
2004242847.tif 000010
【図９】
2004242847.tif 000011
【図１０】
2004242847.tif 000012